(57)【要約】      （修正有）【課題】プラスチックボールやコルクに、ＧＰＳチップを内臓させ、それらを引っ掛け針や強力粘着剤により、犯罪者や捕獲動物等に付着させることで、これまでの技術を越える精度の高い、ハイテク防犯器具を提供する。【解決手段】ＧＰＳチップ２をターゲット（犯罪者や捕獲動物）にすばやく、尚かつ確立高く付着させ、ハイテクなＧＰＳ機能により、外部信号を受信し、位置情報案内機により、ターゲットの行動範囲を明確にキャッチすることができる。今後は、これらの発明品により、犯罪の検挙率を高めることができる。又、犯罪件数も減少化にも期待ができる。【選択図】図１−１
2014071880.tif 000002
【特許請求の範囲】
【請求項１】
今回の発明は、防犯を目的とした、ＧＰＳチップ内臓防犯ボールと防犯コルクを考案した。
ＧＰＳチップを、プラスチックボールもしくは、防犯コルクに内臓させ、
表面に強力粘着剤（もしくは、引っ掛け針を取付）を取付ける構造とし、
ＧＰＳチップ内臓防犯ボールもしくは、防犯コルクを、犯罪者の車や衣服に付着させ、追跡を行うことができる。
【発明の詳細な説明】
【技術分野】
【０００１】この発明は、防犯を目的に、ターゲット（犯罪者、捕獲したい動物）に防犯ボールもしくは防犯コルクを付着させるものに関する。
【背景技術】
【０００２】従来、ＧＰＳチップは、携帯電話に内臓させたり、カーナビ等、登山の方向案内など広く使われているが、ＧＰＳチップをターゲットに自由に付着させ、追跡等を行える商品はなかった。
【発明が解決しようとする課題】
【０００３】これは、次のような問題点があった。
従来、犯罪者の追跡には、カラーボール等があった。
カラーボールタイプはボ−ルに塗料をつけるものなので、追跡は狭い範囲となり、犯罪者の検挙率も低かった。
今回は、ＧＰＳ機能を使った追跡なので、広範囲での追跡が可能なので、検挙率のＵｐに期待できる。
【課題を解決するための手段】
【０００４】ＧＰＳチップを、いかに犯罪者の衣服や車に、付着させるかの構造を考案した。
短時間でタイムリーに付けられるものとして、カラーボールと同様に、ターゲットに向けて投げ込むタイプと、空気圧式銃にて飛ばすコルク砲とした。
球状のプラスチックボールもしくはコルクに、ＧＰＳチップを内臓させ、
そのＧＰＳチップ内臓防犯ボール（防犯コルク）をターゲットに付着させる。
ターゲットに付着したら、ターゲットの動きや、現在位置を、各ユーザーに信号を送り、各ユーザーは、正確な犯罪者の情報を読み取ることができる。
【発明実施の形態】
【０００５】    以下本考案の実施形態について説明する。
イ、図１−１にて示す通り、円形のプラスチック製ボール▲１▼に、ＧＰＳチップ（外部信号受信機）▲２▼を内臓させる。
そして、ＧＰＳチップ内臓のボールの外側には、引っ掛け針▲３▼を取り付け、そのボ−ルをタ−ゲットに向けて手で投げ、犯罪者の着ている衣服や、動物（猪、くま、等）の毛皮に引っ掛けて、付着させる構造とした。
そして、その外部信号受信機により、ターゲットの居場所や行動範囲位置情報案内機▲５▼にその信号が受け取り、追跡が可能となる。
〔引っ掛け構造〕
ロ、図１−２にて示す通り、円形のプラスチック製ボ−ル▲１▼に、ＧＰＳチップ（外部信号受信機）▲２▼を内臓させる。
そして、ＧＰＳチップ内臓のボールの外側の一部に、強力な粘着剤▲４▼を取り付け、そのボ−ルをタ−ゲットに向けて手で投げ、犯罪者の着ている衣服や、動物（猪、くま、等）の毛皮に付着させる構造とした。
そして、その外部信号受信機により、ターゲットの居場所や行動範囲の▲５▼位置情報案内機▲５▼にその信号が受け取り、追跡が可能となる。
〔粘着による付着構造〕
ハ、図２−１にて示す通り、コルク銃（空気圧にて、コルクを飛ばす。）
ＧＰＳチップを引っ掛けて付着させるタイプＩも考案した。
コルク▲１▼にＧＰＳチップ（外部受信機）▲２▼を内臓させ、
そのコルクの先端部には、引っ掛け針▲３▼を組み込みコルク銃により、ＧＰＳチップ内臓コルクをターゲットに引っ掛けて付着させるタイプとする。
〔引っ掛け構造〕
ニ、図２−２にて示す通り、コルク銃（空気圧にて、コルクを飛ばす。）
ＧＰＳチップを付着させるタイプＩＩも考案した。
コルク▲１▼にＧＰＳチップ（外部受信機）▲２▼を内臓させ、
そのコルクの先端部には、強力粘着剤▲４▼を組み込みコルク銃により、ＧＰＳチップ内臓コルクをターゲットに付着させるタイプとする。〔粘着による付着構造〕
【発明の効果】
【０００６】本発明品を使用することにより、従来のカラーボール等での犯罪の追跡を越える精度の高い追跡を行えることが、期待できる。
ＧＰＳチップをターゲット（犯罪者や猟銃）にすばやく、尚かつ確立高く付着させ、ハイテクなＧＰＳ機能により、外部信号を受信し、位置情報案内機により、ターゲットの行動範囲を明確にキャッチすることができる。
今後は、これらの発明品により、犯罪の検挙率を高めることができる。
又、犯罪件数も減少化にも期待ができる。
【図１−１】
2014071880.tif 000003
【図１−２】
2014071880.tif 000004
【図２】
2014071880.tif 000005
【図２−１】
2014071880.tif 000006
【図２−２】
2014071880.tif 000007
【図３】
2014071880.tif 000008
【手続補正書】
【提出日】平成24年11月19日(2012.11.19)
【手続補正１】
【補正対象書類名】明細書
【補正対象項目名】全文
【補正方法】変更
【補正の内容】
【発明の詳細な説明】
【技術分野】
【０００１】この発明はＧＰＳチップを、プラスチックボールやコルクに内臓させ、その表面に引っ掛け針もしくは強力粘着剤を取付ける。
そして、それらを犯罪者や動物（猪・くま）に投げ込んで、衣服や車、毛皮に付着させる。
ＣＰＳ衛星機能を使い、付着させたＧＰＳ内蔵防犯ボール等を駆使して犯罪者の行動範囲を追跡を行うものである。
【背景技術】
【０００２】従来、ＧＰＳチップは、携帯電話に内臓させたり、カーナビ等、登山の方向案内など広く使われているが、ＧＰＳチップをターゲットに自由に付着させ、追跡等を行える商品はなかった。
【発明が解決しようとする課題】
【０００３】これは、次のような問題点があった。
従来、犯罪者の追跡には、カラーボール等があった。
カラーボールタイプはボールに塗料をつけるものなので、追跡は狭い範囲となり、犯罪者の検挙率も低かった。
今回は、ＧＰＳ機能を使った追跡なので、広範囲での追跡が可能なので、検挙率のＵｐに期待できる。
【課題を解決するための手段】
【０００４】ＧＰＳチップを、いかに犯罪者の衣服や車に、付着させるかの構造を考案した。
短時間でタイムリーに付けられるものとして、カラーボールと同様に、ターゲットに向けて投げ込むタイプと、空気圧式銃にて飛ばすコルク砲を考案した。
球状のプラスチックボールもしくはコルクに、ＧＰＳチップを内臓させ、そのＧＰＳチップ内臓防犯ボール（防犯コルク）をターゲットに付着させる。
ターゲットに付着したら、ターゲットの動きや、現在位置を、各ユーザーに信号を送り、各ユ−ザーは、正確な犯罪者の情報を読み取ることができる。
【発明を実施するための形態】
【０００５】以下本考案の実施形態について説明する。
イ、図１−１にて示す通り、円形のプラスチック製ボール▲１▼に、ＧＰＳチップ（外部信号受信機）▲２▼を内臓させる。
そして、ＧＰＳチップ内臓のボールの外側には、引っ掛け針▲３▼を取り付け、そのボールをターゲットに向けて手で投げ、犯罪者の着ている衣服や、動物（猪、くま、等）の毛皮に引っ掛けて、付着させる構造とした。
そして、その外部信号受信機により、ターゲットの居場所や行動範囲  位置情報案内機▲５▼にその信号が受け取り、追跡が可能となる。
〔引っ掛け構造〕
ロ、図１−２にて示す通り、円形のプラスチック製ボール▲１▼に、ＧＰＳチップ（外部信号受信機）▲２▼を内臓させる。
そして、ＧＰＳチップ内臓のボールの外側の一部に、強力な粘着剤▲４▼を取り付け、そのボールをターゲットに向けて手で投げ、犯罪者の着ている衣服や、動物（猪、くま、等）の毛皮に付着させる構造とした。
そして、その外部信号受信機▲２▼により、ターゲットの居場所や行動範囲を位置情報案内機▲５▼にその信号が受け取り、追跡が可能となる。
〔粘着による付着構造〕
ハ、図２のコルク銃（空気圧にて、コルクを飛ばす式）を使いＧＰＳチップを引っ掛けて付着させる、図２−１のタイプも考案した。
コルク▲１▼にＧＰＳチップ（外部受信機）▲２▼を内臓させ、そのコルクの先端部には、引っ掛け針▲３▼を組み込みコルク銃により、ＧＰＳチップ内臓コルクをターゲットに引っ掛けて付着させるタイプとする。
〔引っ掛け構造〕
ニ、図２のコルク銃（空気圧にて、コルクを飛ばす式）を使いＧＰＳチップを付着させる、図２−２のタイプも考案した。
コルク▲１▼にＧＰＳチップ（外部受信機）▲２▼を内臓させ、そのコルクの先端部には、強力粘着剤▲４▼を組み込みコルク銃により、ＧＰＳチップ内臓コルクをターゲットに付着させるタイプとする。〔粘着による付着構造〕
ホ、図３については、ＧＰＳ衛星機能を使い、今回発明したＧＰＳ内臓防犯ボール等にて外部信号受信▲２▼を行う。
そしてその信号を、位置案内表示機▲５▼に送り、ジャイロセンサを返して位置推定処理（地図と照合）をして、犯人行動の居場所を突き止めることができる。
【発明の効果】
【０００６】本発明品を使用することにより、従来のカラーボール等での犯罪の追跡を越える精度の高い追跡を行えることが、期待できる。
ＧＰＳチップをターゲット（犯罪者や動物）にすばやく、尚かつ確立高く付着させ、ハイテクなＧＰＳ機能により外部信号を受信し、位置情報案内機により、ターゲットの行動範囲を明確にキャッチすることができる。
今後は、これらの発明品により、犯罪の検挙率を高めることができる。
又、犯罪件数も減少化にも期待ができる。
【図面の簡単な説明】
【０００７】
【図１−１】ＧＰＳチップをプラスチックボールに内臓させ、ボールの表面に引っ掛け針を取付仕様の防犯ボール構造図（側面図）
【図１−２】ＧＰＳチップをプラスチックボールに内臓させ、ボールの表面に強力粘着剤を取付仕様の防犯ボール構造図（側面図）
【図２】空気圧式銃の説明図
【図２−１】ＧＰＳチップをコルクに内臓させ、コルクの表面に引っ掛け針を取付仕様の防犯コルク構造図（側面図）
【図２−２】ＧＰＳチップをコルクに内臓させ、コルクの表面に強力粘着剤を取付仕様の防犯コルク構造図
【図３】ＧＰＳチップ内臓防犯ボール＆防犯コルクの使用範囲の全体図
【符号の説明】
【０００８】▲１▼  プラスチックボール
▲２▼  ＧＰＳチップ（外部受信機）
▲３▼  引っ掛け針
▲４▼  強力接着剤
▲５▼  位置情報案内機